(57)【特許請求の範囲】
【請求項１】
視標画面の一部にマスクを施すことにより、同一視力値の複数の視標が列に配置された視標列を被検眼に呈示する視力検査装置において、同一種類（ひらがな文字視標やランドルト環等）で同一視力値の視標列を少なくとも一部の視力値について複数列有し、かつ該複数列の視標列においては視標の構成の少なくとも一部が異なっている複数列の視標列の中から一つの視標列を被検者に選択的に呈示可能であり、視標画面を切り換える視標画面切換手段及びマスクを切り換えるマスク切換手段を動作させることにより所期する視標列を被検者に呈示する視標列切換呈示手段と、検査者の操作信号に応答して、直近に呈示した視標列が前記複数列の視標列に含まれる場合であって、直近に呈示した視標列と同一視力値の視標列を再度呈示するときは、直近の視標列とは異なる構成の視標列を前記複数の視標列の中から選択するプログラムを記憶するプログラム記憶手段と、を備えることを特徴とする視力検査装置。
【請求項２】
視標画面の一部にマスクを施すことにより、同一視力値の複数の視標が列に配置された視標列を被検眼に呈示する視力検査装置において、同一種類（ひらがな文字視標やランドルト環等）で同一視力値の視標列を少なくとも一部の視力値について複数列有し、かつ該複数列の視標列においては視標の構成の少なくとも一部が異なっている複数列の視標列の中から一つの視標列を被検者に選択的に呈示可能であり、視標画面を切り換える視標画面切換手段及びマスクを切り換えるマスク切換手段を動作させることにより所期する視標列を被検者に呈示する視標列切換呈示手段と、前記複数列の同一視力値の視標列を呈示する場合に、被検者の左右の切換えで前記複数列の視標列の何れを呈示するかを区分けし、被検眼の左右を切り換える切換スイッチの信号及び検査者による操作信号に基づいて呈示する視標列を前記複数列の視標列の中から選択するプログラムを記憶するプログラム記憶手段と、を備えることを特徴とする視力検査装置。
【発明の詳細な説明】
【０００１】
【産業上の利用分野】
本発明は、被検眼に視標を呈示する視力検査装置に関する。
【０００２】
【従来の技術】
視力検査は被検者に判読すべき視標を呈示し、呈示した視標の見え具合を被検者に応答させてその正誤により視力を決定する。
視標は通常視力値別に縦または横に一列に配置され、被検者には一列の視標を同時に呈示し、検査者の指示にしたがって全部または一部の視標について検査が行われる。
【０００３】
【発明が解決しようとする課題】
しかしながら、上記装置のように同一視力値の場合には呈示される視標は常に同じであるので、同一被検者に対して右眼、左眼及び両眼の検査と検査段階を進めていく間に、被検者が視標の構成を記憶してしまうことがあり、記憶に基づいた応答か記憶に基づかないものか区別できないという問題があった。
かつて、右眼用、左眼用あるいは両眼用の別構成の視標を用意することも考えられたが、多くの視標を用意しなければならないのみならず、検査眼を変える都度視標を変えることは煩わしく、検査の手間がかかるという問題があった。
【０００４】
本発明は、上記問題点に鑑み、被検者の記憶に基づく応答を困難にする、簡易な構成の視力検査装置を提供することを技術課題とする。
【０００５】
【課題を解決するための手段】
上記課題を解決するために、本発明は次のような構成を有することを特徴とする。
（１）  視標画面の一部にマスクを施すことにより、同一視力値の複数の視標が列に配置された視標列を被検眼に呈示する視力検査装置において、同一種類（ひらがな文字視標やランドルト環等）で同一視力値の視標列を少なくとも一部の視力値について複数列有し、かつ該複数列の視標列においては視標の構成の少なくとも一部が異なっている複数列の視標列の中から一つの視標列を被検者に選択的に呈示可能であり、視標画面を切り換える視標画面切換手段及びマスクを切り換えるマスク切換手段を動作させることにより所期する視標列を被検者に呈示する視標列切換呈示手段と、検査者の操作信号に応答して、直近に呈示した視標列が前記複数列の視標列に含まれる場合であって、直近に呈示した視標列と同一視力値の視標列を再度呈示するときは、直近の視標列とは異なる構成の視標列を前記複数の視標列の中から選択するプログラムを記憶するプログラム記憶手段と、を備えることを特徴とする。
【０００６】
（２）  視標画面の一部にマスクを施すことにより、同一視力値の複数の視標が列に配置された視標列を被検眼に呈示する視力検査装置において、同一種類（ひらがな文字視標やランドルト環等）で同一視力値の視標列を少なくとも一部の視力値について複数列有し、かつ該複数列の視標列においては視標の構成の少なくとも一部が異なっている複数列の視標列の中から、一つの視標列を被検者に選択的に呈示可能であり、視標画面を切り換える視標画面切換手段及びマスクを切り換えるマスク切換手段を動作させることにより所期する視標列を被検者に呈示する視標列切換呈示手段と、前記複数列の同一視力値の視標列を呈示する場合に、被検者の左右の切換えで前記複数列の視標列の何れを呈示するかを区分けし、被検眼の左右を切り換える切換スイッチの信号及び検査者による操作信号に基づいて呈示する視標列を前記複数列の視標列の中から選択するプログラムを記憶するプログラム記憶手段と、を備えることを特徴とする。
【００１１】
【実施例１】
以下、本発明の一実施例を図面に基づいて説明する。
図１は実施例の視力検査装置の概略構成を示す図である。１は投影式の視標呈示装置であり、所定の検査距離だけ離した投影スクリ−ン２に検査視標を投影する。３は視標呈示装置１により呈示される視標を切換えるためのリモ−トコントロ−ラである。
【００１２】
図２は視標呈示装置１の構成を説明する図である。１０は照明用光源であるハロゲンランプ、１１は集光レンズである。１２はガラス等からなるチャ−トディスクであり、チャ−トディスク１２の同一円周上には投影スクリ−ン２の大きさに合わせて多数の方形の区画を配置し、多数の検査視標は各区画に区分けされクロム蒸着により描かれている。検査視標には視力値を検査する視標があり、図３に示す構成の視標画面（視標画面とは呈示枠内の１画面をいうが、投影された上記区画に相当する）が含まれている（実施例では説明を簡略化するために他の視標に関するものについては省略した）。視標画面１２ａには視力値０．２／０．３／０．４のひらがな文字視標が配置されており、視標画面１２ｂには視力値０．５／０．６／０．７、視標画面１２ｃには視力値０．８／０．９／１．０、視標画面１２ｄには視力値１．２／１．５／２．０の文字視標がそれぞれ配置されている。これに加えて、装置は視標画面１２ｃ及び１２ｄと同一視力値（０．９／１．０／１．２）であるが、異なる構成の視標画面１２ｅを持つ。視標画面１２ｅの視標構成は検査で使用頻度の高い視力値の視標を選択したものであり、余裕があればいくつかの重複した視力値の視標を持つことが望ましい。
【００１３】
チャ−トディスク１２はモ−タ１３により回転され、視標画面を切換える。
１４は視標画面に必要なマスクをかけるためのマスク板であり、マスク板１４はモ−タ１５により回転され、視標画面にかけるマスクの種類を切換える。マスク板１４のマスクは同一視力値の視標の一行を呈示し、他を隠すための横マスクを持っている。
ハロゲンランプ１０を出射した光束は集光レンズ１１により集光され、マスク板１４のマスク及びチャ−トディスク１２の視標チャ−トを照明する。マスク板を介して照明された視標は投影レンズ１６により投影スクリ−ン２に投影され、被検眼に呈示される。
【００１４】
図４はリモ−トコントロ−ラ３の構成を示す図である。２０は視標呈示装置１との送信を行うための窓部であり、内部には光信号を送るためのＬＥＤを有する発光部が設けられている。２１は液晶の表示部であり、視標呈示装置１による呈示視標とその視力値を表示する。２２は視標画面１２ａ〜１２ｅを切換える視標画面選択スイッチである。２３ａ，２３ｂは投影スクリ−ン２に投影される視標を一行のみ呈示するように横マスクをかけるためのマスクスイッチである。
【００１５】
図５は装置の電気系ブロック図である。リモ−トコントロ−ラ３の各スイッチによって入力された信号はマイクロコンピュ−タ３０を介して発光部３１で光信号に変換され、視標呈示装置１の受光部４０に送られる。受光部４０によって受け取られた信号は所定の処理が施された後、マイクロコンピュ−タ４１に入力される。マイクロコンピュ−タ４１は入力された信号に応じて、駆動回路４２、４３を介してチャ−トディスク用モ−タ１３及びマスク板モ−タ１５を回転駆動し、視標の呈示とマスクがけを行う。
また、マイクロコンピュ−タ３０は表示回路３２を介して呈示視標の情報を表示部２１に表示する。さらに、マイクロコンピュ−タ３０は後述する視標切換えのプログラムを記憶しており、マスクスイッチ２３ａ及び２３ｂのスイッチ信号によりプログラムを実行する。
【００１６】
次に、以上のような構成の装置の動作を、図６に示す視標呈示例に基づいて説明する。図６はマスクスイッチの操作手順（１）〜（１０）とその時の視標画面及び呈示視標列を対応させたものである。
視力値別の視標呈示を行うには、始めに視標画面選択スイッチ２２により視標画面を選択した後、マスクスイッチ２３ａ又は２３ｂを押して、視標呈示のプログラムをスタ−トさせる。（１）〜（１０）は図６の操作手順の符号に対応させている。
【００１７】
（１）視標画面選択スイッチ２２により図３の視標画面１２ｃを選択し、マスクスイッチ２３ａを押すことにより、最上段の視標列（視力値０．８）が呈示されるようにマスクがかかる。
（２）マスクスイッチ２３ｂを押して、視力値０．９の視標列を呈示したものである。
（３）呈示視標を視力値１．０にするためにマスクスイッチ２３ｂを押す。装置は同じ視標チャ−ト１２ｃの下の段の視力値１．０の視標群を呈示するようにマスクを切換える。
【００１８】
（４）検者が再び視力値０．９を検査するためにマスクスイッチ２３ａを押すと、装置は視標画面を視力値０．９／１．０／１．２の視標画面１２ｅに切換え、これにマスクをかけて前回呈示した視力値０．９の視標列とは異なる視標列を呈示する。装置は、同一の視力値の視標であって同時に呈示されない視標については、直前に呈示された視標（視標列）を記憶し、次回に同一の視力値の視標を呈示する場合であってもこれとは異なった視標を呈示するように指示する。
（５）再び視標呈示を視力値１．０にするためにマスクスイッチ２３ｂを押すと、視標画面１２ｅの視力値１．０の視標列が呈示される。
（６）次に、視力値１．２の視標を呈示するためにマスクスイッチ２３ｂを押すと、視標画面１２ｅは同一の一行下の視力値１．２の視標列が呈示される。
【００１９】
（７）再び視力値１．０の視標列を呈示すべくマスクスイッチ２３ａを押すと、視標画面は（５）とは異なる視標画面１２ｃに切換えられ、この視標画面の視力値１．０の視標列が呈示される。
（８）さらに視力値１．２の視標群を呈示すべくマスクスイッチ２３ｂを押すと、装置は前回呈示した視標画面１２ｅとは別の視力値１．２／１．５／２．０の視標画面１２ｄに切換えられる。
（９）（８）の後マスクスイッチ２３ｂを押すと、視標画面１２ｄの一行下の視力値１．５の視標列が呈示される。
（１０）再度、視力値１．２の視標列を呈示すべくマスクスイッチ２３ａを押すと、装置は前回の視力値１．２の視標画面１２ｄとは別の視標画面１２ｅに再び切換え、これにマスクをかけて視力値１．２の視標列を呈示する。
【００２０】
このように装置は同一視力値の視標群が再び選択されたときには、前回呈示した視標群とは別の構成の視標群を呈示する。これにより、被検者が視力表の内容を一旦覚えたとしても次に呈示する同一視力値の視標内容は異なるので、被検者の記憶は役に立たず、正確な視力検査が可能となる。
また、検者は視標内容が切替わっていることを意識せずに、マスクスイッチ２３ａ、２３ｂの操作だけで容易に視標を切換えることができる。
【００２１】
【実施例２】
図７は実施例２の装置の概略構成を示す図であり、実施例２は自覚式屈折力検査装置５０を用いて行う視力検査の例である。自覚式屈折力検査装置５０は、その左右のユニット内に種々の特性を持つ光学素子をそれぞれ有し、検査窓に光学素子を切換え配置して被検眼の屈折力等を自覚的に検査する。
【００２２】
５１は自覚式屈折力検査装置５０及び視標呈示装置１の両方の動作を制御するコントロ−ル部であり、両装置にケ−ブルで接続されている。コントロ−ル部５１には実施例１のリモ−トコントロ−ラ３に配置されているスイッチに相応するチャ−トスイッチ２２、マスクスイッチ２３ａ、２３ｂの外、自覚式屈折力検査装置５０の検査窓に配置する球面レンズ、柱面レンズ及び乱視軸のを切換え項目を指定する選択スイッチ群５２、選択スイッチ群５２により選択された各レンズの値を切換えるノブ５３、検査する被検眼（左眼、右眼及び両眼）を選択する被検眼選択スイッチ５４等が配置されている。被検眼選択スイッチ５４により、例えば、右眼スイッチ５４ａを押すと自覚式屈折力検査装置５０の被検眼左側が遮蔽されて右眼の検査ができ、左眼スイッチ５４ｂを押すと左眼の検査ができる。
【００２３】
実施例２の装置は、被検眼選択スイッチ５４のスイッチ信号に応じ、視標呈示装置１の重複した視力値の視標列を持つ視標画面１２ｃ、１２ｄ、１２ｅを切換制御する。すなわち、例えば、右眼検査のときにの視力値０．９／１．０／１．２の視標呈示には視標画面１２ｃ及び１２ｄを使用し、左眼検査のときには視標画面１２ｅを使用する。これにより、右眼検査時に覚えた視標をその記憶により左眼検査時に答えることを防止できる。
【００２４】
【実施例３】
実施例１、２では同一の視力値を持ち相互に独立した視標群を複数個用意し、呈示する視標群を切換える例を示したが、実施例３は視標群の構成を一部共用化し、視標呈示装置１のマスクを工夫することにより呈示する視標の構成を変える例である。
図８の（ａ）に示す視標画面において、１つ目のマスクは（ｂ）に示すように左から４文字のみを呈示し、２つ目のマスクは（ｃ）に示すように右から４文字を呈示する。この２種類のマスクを切換えることにより異なる視標群として呈示することができる。
また、実施例３の変形として、多数の同一視力値の視標を持つ視標画面を用意して、同じ視標を持たないようにマスクを形成することによって、視標群を構成する。
【００２５】
以上の実施例では、投影式タイプの視標呈示装置を例にとって説明したが、視標呈示装置はこのタイプのものに限らず、視標が印刷されたフィルムを背後から照明する背面照光タイプのもの等種々の視標呈示装置に適用できる。
また、呈示視標はひらがな文字に限らず、ランドルト環や他の文字であっても良い。このように本発明は種々の変容が可能である。
【００２６】
【発明の効果】
以上説明したように、本発明によれば、特別に煩雑な要素を増やすことなく、同一視力値を繰り返し検査しても異なる視標群を呈示できる。
【図面の簡単な説明】
【図１】実施例１の視力検査装置の概略構成を示す図である。
【図２】実施例１の視標呈示装置の構成を説明する図である。
【図３】検査視標の構成を説明する視標画面を示す図である。
【図４】リモ−トコントロ−ラ３の構成を示す図である。
【図５】実施例１の装置の電気系ブロック図である。
【図６】マスクスイッチの操作手順とその時の視標画面及び呈示視標列を対応させた視標呈示例を示す図である。
【図７】実施例２の装置の概略構成を示す図である。
【図８】実施例３の装置の視標画面とマスク切換え例を示す図である。
【符号の説明】
１  視標呈示装置
３  リモ−トコントロ−ラ
１２  チャ−トディスク
１２ａ，１２ｂ，１２ｃ，１２ｄ，１２ｅ  視標画面
１４  マスク板
２２  視標画面選択スイッチ
２３ａ，２３ｂ  マスクスイッチ
３０  マイクロコンピュ−タ
【図１】
0003547184.tif 000002
【図２】
0003547184.tif 000003
【図３】
0003547184.tif 000004
【図４】
0003547184.tif 000005
【図５】
0003547184.tif 000006
【図６】
0003547184.tif 000007
【図７】
0003547184.tif 000008
【図８】
0003547184.tif 000009